(57)【要約】【課題】ドア本体とドア枠との隙間への幼児等のうっかりした指の挟み込みをよりしっかりと防ぐことを可能にする指挟み防止装置を提供する。【解決手段】本発明の一実施形態に係る指挟み防止装置１０は、４つの帯状体２２を備えるシート状部材２０であって、該シート状部材において、前記少なくとも４つの帯状体は、それぞれ第１方向Ｄ１に延在し、前記第１方向と直交する第２方向Ｄ２に並んで接続されていて、前記少なくとも４つの帯状体の接続部で、前記少なくとも４つの帯状体そのものよりも、折り曲げ易い、シート状部材と、前記第２方向における前記シート状部材の第１端部をドア本体１２に取り付けるための第１取付部と、前記第２方向における前記シート状部材の前記第１端部と反対側の第２端部をドア枠１６に取り付けるための第２取付部とを備える。【選択図】図１
2020101005.tif 000002
【特許請求の範囲】
【請求項１】
少なくとも４つの帯状体を備えるシート状部材であって、該シート状部材において、前記少なくとも４つの帯状体は、それぞれ第１方向に延在するとともに、前記第１方向と直交する第２方向において接続されていて、前記少なくとも４つの帯状体の接続部で、前記少なくとも４つの帯状体そのものよりも、折り曲げ易い、シート状部材と、
前記第２方向における前記シート状部材の第１端部をドア本体に取り付けるための第１取付部と、
前記第２方向における前記シート状部材の前記第１端部と反対側の第２端部をドア枠に取り付けるための第２取付部と
を備えた、指挟み防止装置。
【請求項２】
前記少なくとも４つの帯状体の少なくとも１つは、合成樹脂製である、請求項１に記載の指挟み防止装置。
【請求項３】
前記少なくとも４つの帯状体の少なくとも１つは、帯状とロール状とのいずれにも変形可能である、
請求項１又は２に記載の指挟み防止装置。
【発明の詳細な説明】
【技術分野】
【０００１】
本発明は、ドアを開閉する際に、ドア本体とドア枠との間に生じる隙間を覆うことで、この隙間に指が挟まれることを防止するようにされた指挟み防止装置に関するものである。
【背景技術】
【０００２】
従来から、ドアを開閉する際に、幼児等がドア本体とドア枠（縦枠）との間に生じる空隙つまり隙間に誤って指を挟んでしまう事例が報告されている。ドア本体とドア枠との間に指が挟まれる事故を防止する指挟み防止装置として、様々な構造が提案されている。
【０００３】
例えば、特許文献１は、ドア本体とドア枠の間にできるＶ字の隙間に乳幼児が指を挟まれてけがをしないように、ドアを開いたときに、ドア本体とドア枠との間に生じる隙間を安全フィルムによりカバーすることを開示する。特許文献１では、安全フィルムの一端は、ドア枠に両面テープとビス、プラスチック製のプレート板で固定される、とされている。
【０００４】
更に、特許文献２は、枠付きドアの指挟み防止装置を開示する。この装置は、鈍角に屈曲した略Ｖ字状の断面形状をなすカバープレートをドア枠にスプリング丁番を介して固定することを開示する。スプリング丁番を用いることによって、カバープレートをドア開方向への付勢状態として、その常時の追従回動自在性を確保するようにしている。カバープレートの固定されている側とは反対側の自由端に、摺接部材が配置されている。摺接部材は、摩擦抵抗が可及的に小さく且つ自由端の対接摺接に際して騒音を発しないように、例えば合成樹脂、合成ゴム等の材料を用いて自由端に被嵌固定したもの、とされている。
【先行技術文献】
【特許文献】
【０００５】
【特許文献１】特開２００７−２４７２３１号公報
【特許文献２】特許第５６１９４９６号公報
【発明の概要】
【発明が解決しようとする課題】
【０００６】
しかしながら、特許文献１に記載の安全フィルムでは、その一端をドア枠に固定するだけであるので、ドアの開閉時、安全フィルムのドア本体への追従性の点で懸念がある。また、特許文献２に記載の指挟み防止装置でも、スプリング丁番を用いることによって、カバープレートをドア開方向への付勢状態としているだけであり、ドア本体とカバープレートとの間に隙間が生じる懸念がある。
【０００７】
また、特許文献１の記載によれば、その安全フィルムの一端は、ドア枠に両面テープとビス、プラスチック製のプレート板で固定され、その安全フィルムは内側に軽く曲がっていて、ドアを開いても閉じてもドアに接している。したがって、安全フィルムからドアに力が作用し、ドアが勝手に開く方向に動いたりする可能性が高い。更に、特許文献２に記載の指挟み防止装置でも、スプリング丁番を用いているので、その指挟み防止装置からドアに力が作用し、ドアが勝手に動く可能性が高い。このようなドアの勝手な動きは、ドアとドア枠との隙間に指等が挟まる危険性を高め得る。
【０００８】
そこで、本発明は、上記課題に鑑みて創案されたものであり、ドア本体とドア枠との間の隙間への幼児等のうっかりした指の挟み込みをよりしっかりと防ぐことを可能にする指挟み防止装置を提供することを目的とする。
【課題を解決するための手段】
【０００９】
上記目的を達成するために、本発明の一態様は、
少なくとも４つの帯状体を備えるシート状部材であって、該シート状部材において、前記少なくとも４つの帯状体は、それぞれ第１方向に延在するとともに、前記第１方向と直交する第２方向において接続されていて、前記少なくとも４つの帯状体の接続部で、前記少なくとも４つの帯状体そのものよりも、折り曲げ易い、シート状部材と、
前記第２方向における前記シート状部材の第１端部をドア本体に取り付けるための第１取付部と、
前記第２方向における前記シート状部材の前記第１端部と反対側の第２端部をドア枠に取り付けるための第２取付部と
を備えた、指挟み防止装置
を提供する。
【００１０】
好ましくは、前記少なくとも４つの帯状体の少なくとも１つは、合成樹脂製である。また、前記少なくとも４つの帯状体の少なくとも１つは、帯状とロール状とのいずれにも変形可能であるとよい。
【発明の効果】
【００１１】
本発明の上記一態様に係る指挟み防止装置によれば、ドア本体とドア枠との隙間への幼児等のうっかりした指の挟み込みをよりしっかりと防ぐことが可能になる。
【図面の簡単な説明】
【００１２】
【図１】本発明の第１実施形態に係る指挟み防止装置が適用されたドアの概略構成図である。
【図２】図１の指挟み防止装置を図１中上側から見たところを示す概略構成図であり、（ａ）は図１の状態での指挟み防止装置を、（ｂ）はドア本体が閉まった状態での指挟み防止装置を示す。
【図３】（ａ）は図１の指挟み防止装置の概略構成図であり、それをシート状に平らに延ばした状態での図１の上側に相当する位置からの図であり、（ｂ）はロール状にした帯状体を模式的に示す図である。
【図４】図１の指挟み防止装置の変形例としての指挟み防止装置の適用例を示す図であり、（ａ）はドア本体の開角度が０°のときの図であり、（ｂ）はその開角度が約９０°のときの図であり、（ｃ）は開角度が約１１０°のときの図であり、（ｄ）は開角度が約１８０°のときの図である。
【図５】図４の指挟み防止装置の概略構成図であり、それをシート状に平らに延ばした状態での図４の上側に相当する位置からの図である。
【図６】本発明の第２実施形態に係る指挟み防止装置の概略構成図であり、（ａ）はその適用例を示す図であり、（ｂ）はそれをシート状に延ばしたところを示す図である。
【図７】本発明の第３実施形態に係る指挟み防止装置の概略構成図であり、（ａ）〜（ｃ）はその適用例を示す図であり、（ｄ）はそれをシート状に延ばしたところを示す図である。
【図８】本発明の第４実施形態に係る指挟み防止装置の概略構成図であり、それを延ばしたところを示す図である。
【図９】本発明の第５実施形態に係る指挟み防止装置の概略構成図であり、（ａ）から（ｃ）はその指挟み防止装置の作製過程を示すものである。
【発明を実施するための形態】
【００１３】
以下、本発明に係る実施形態を添付図に基づいて説明する。同一の部品（又は構成）には同一の符号を付してあり、それらの名称及び機能も同じである。したがって、それらについての詳細な説明は繰返さない。
【００１４】
図１は、本発明の第１実施形態に係る指挟み防止装置１０が適用されたドア１１の概略構成図である。ドア１１においては、ドア本体１２は、蝶番つまりヒンジ１４によって、ドア枠１６の縦枠１６ａに取り付けられている。図１では、ドア本体１２がドア枠１６に対して約８０°開いた状態を示す。なお、図１では、１つのヒンジ１４のみを示すが、残りのヒンジ（図２参照）は指挟み防止装置１０によって隠れている。
【００１５】
図１の指挟み防止装置１０を、図１中上側から見たところを図２（ａ）に示す。また、図１においてドア本体１２が閉まった状態の指挟み防止装置１０を図２（ｂ）に示す。更に、図３は、指挟み防止装置１０の概略構成図であり、ドア本体１２及びドア枠１６に取り付ける前又はそれらから取り外した後、シート状に平らに延ばした状態での、指挟み防止装置１０を図１の上側に相当する位置から見た図である。
【００１６】
図１から図３に示すように、指挟み防止装置１０は、シート状部材２０を備えている。シート状部材２０は、４つの帯状体２２を備えている。４つの帯状体２２は、それぞれ細長い部材であり、長手方向Ｄ１（図１参照）に延びている。ここでは、４つの帯状体２２の長手方向Ｄ１の長さは同じである。そして、４つの帯状体２２は、図３に示すように長手方向Ｄ１に直交する幅方向Ｄ２に並べられて、相互に接続されている。なお、長手方向Ｄ１は第１方向に対応し、幅方向Ｄ２は第２方向に対応する。
【００１７】
ここで、４つの帯状体２２において、図１及び図２においてドア本体１２に最も寄った側の帯状体を第１帯状体２２ａ、その隣の帯状体を第２帯状体２２ｂ，更にその隣の帯状体を第３帯状体２２ｃ、そしてドア枠１６に最も寄った側の帯状体を第４帯状体２２ｄと称する。これら第１から第４帯状体２２ａ、２２ｂ、２２ｃ、２２ｄは、特に覆われておらず、接続テープ２４で接続されている。接続テープ２４は、粘着テープである。接続テープ２４は繰り返し貼ったり剥がしたりできるとよいが、使い捨ての粘着テープであってもよい。なお、指挟み防止装置１０では、接続テープ２４の取付箇所は、隣り合う帯状体２２の間の接続部２６の折り曲げ時、主として内側に位置する側に定められている。
【００１８】
第１帯状体２２ａは、図１に示すように、ドア本体１２に取り付けられる。ここでは、両面テープ２８ａを用いて、第１帯状体２２ａはドア本体１２に貼り付けられている。同様に、第４帯状体２２ｄはドア枠１６に取り付けられる。そして、同様に、両面テープ２８ｂを用いて、第４帯状体２２ｄはドア枠１６に貼り付けられている。なお、図２では、これら両面テープ２８ａ、２８ｂを省略している。この場合、第１帯状体２２ａは第２方向におけるシート状部材２０の第１端部に相当し、両面テープ２８ａは第１帯状体２２ａをドア本体１２に取り付けるための第１取付部に相当する。また、第４帯状体２２ｄは第２方向におけるシート状部材２０の第１端部と反対側の第２端部に相当し、両面テープ２８ｂは第４帯状体２２ｄをドア枠１６に取り付けるための第２取付部に相当する。
【００１９】
これら帯状体２２は、上で述べたように長手方向Ｄ１に同じ長さＬを有する。そして、これらの長手方向Ｄ１の長さＬは、幼児等の指の挟み込みが生じやすい高さ範囲を指挟み防止装置１０で覆うことができるように定められている（図１参照）。しかし、長手方向Ｄ１の長さＬは、これに限定されない。例えば、帯状体２２の長手方向Ｄ１の長さＬ、つまり、シート状部材２０の長手方向Ｄ１の長さＬは、ドア本体１２の高さ１２Ｈに略等しい長さであってもよい。また、例えば、指挟み防止装置１０がドア１１のヒンジ１４間に適用される場合、帯状体２２の長手方向Ｄ１の長さＬは、ドア１１のヒンジ１４間の長さ又はそれよりも短い長さとされてもよい。更に、指挟み防止装置１０がドア１１の下側のヒンジ１４と床の間に適用される場合、帯状体２２の長手方向Ｄ１の長さＬは、ドア１１の下側のヒンジ１４と床の間の長さ又はそれよりも短い長さとされてもよい。なお、第１から第４帯状体２２ａ、２２ｂ、２２ｃ、２２ｄのそれぞれの長手方向Ｄ１の長さは、それぞれ異なってもよく、任意に設計され得る。
【００２０】
これら帯状体２２は、それぞれの配置に応じた幅方向Ｄ２の長さつまり幅を有している。第１帯状体２２ａ及び第４帯状体２２ｄは、それぞれ、ドア本体１２及びドア枠１６への取付性を十分に確保できる幅Ｗ１（図３参照）を有している。一方、第２帯状体２２ｂ及び第３帯状体２２ｃは、それぞれ、図１及び図２に示すようなドア本体１２の開閉時、３つの接続部２６の折り曲げ変形のみで指挟み防止装置１０がドア本体１２とドア枠１６との間の隙間をしっかりと覆うことができように、ドア本体１２とドア枠１６との相対位置の変化に対して追従可能にする長さの幅Ｗ２（図３参照）を有して構成されている。なお、ここでは、第１帯状体２２ａの幅は第４帯状体２２ｄの幅と略同じであり、第２帯状体２２ｂの幅は第３帯状体２２ｃの幅と略同じであるが、本発明はこれらに限定されない。第１から第４帯状体２２ａ、２２ｂ、２２ｃ、２２ｄの各幅は任意に設計され得る。
【００２１】
第１から第４帯状体２２ａ、２２ｂ、２２ｃ、２２ｄの厚さｔ（図３参照）は、ここでは略同じである。厚さｔは、１ｃｍ以下であるとよく、ここでは１ｍｍ以下である。厚さｔは、例えば０．２ｍｍ以上０．７ｍｍ以下の範囲であり得、好ましくは０．３ｍｍ以上０．５ｍｍ以下であり、更に好ましくは約０．５ｍｍである。
【００２２】
第１から第４帯状体２２ａ、２２ｂ、２２ｃ、２２ｄは合成樹脂で作製されている。そして、それら帯状体２２はそれぞれ弾性変形可能であり、図１等に示すように帯状であることも、図３（ｂ）に模式的に示すようにロール状にすることも可能である。このように、各帯状体２２は、帯状とロール状とのいずれにも変形可能である。なお、これら帯状体２２は、それぞれ合成樹脂で作製可能であるが、他の材料で作製されてもよい。具体的には、帯状体２２は、合成樹脂で作製される場合、ポリエチレン（ＰＥ）、ポリプロピレン（ＰＰ）、ポリ塩化ビニル、ポリエチレンテレフタラート（ＰＥＴ）などで作製可能である。そして、帯状体２２を合成樹脂で作製する場合、それは硬質の素材で作製されるとよく、これにより帯状体２２をより薄い素材で作製可能になる。また、帯状体２２は、合成樹脂製スポンジで作製されてもよい。帯状体２２は種々の材料で作製可能である。
【００２３】
上記構成の指挟み防止装置１０は、図１に示すように、シート状部材２０の第１端部つまり第１帯状体２２ａがドア本体１２に取り付けられ、シート状部材２０の第２端部つまり第４帯状体２２ｄがドア枠１６に取り付けられる。そして、隣り合う帯状体の接続部２６は図３に示すように接続テープ２４で接続されているだけであるので、指挟み防止装置１０は、帯状体の接続部２６で、帯状体２２そのものよりも、折り曲げ易い。それゆえ、図１及び図２に示すように、指挟み防止装置１０では、ドアの開閉時、接続部２６で優先的に折り曲げが生じ、それによりドア本体１２とドア枠１６との隙間が好適に覆われる。したがって、ドア本体１２とドア枠１６との隙間への幼児等のうっかりした指の挟み込みをよりしっかりと防ぐことが可能になる。
【００２４】
また、隣り合う帯状体の接続部２６は図３に示すように接続テープ２４で接続されているだけであるので、接続テープ２４の部分で、ドアを動かすほどの真っ直ぐになるような力や更に折れ曲がろうとする力が、接続テープ２４自体により生じることはない。つまり、指挟み防止装置１０つまりシート状部材２０は、屈曲部分となる接続部２６において、特別の負荷なく、自在に屈曲することができる。よって、指挟み防止装置１０を設けたことにより、ドアが勝手に閉じたり、開いたりすることはないので、指挟み防止装置１０はより安全性に優れる。
【００２５】
そして、ドア本体１２とドア枠１６との間の隙間を覆うように設けられた指挟み防止装置１０では、第２帯状体２２ｂと第３帯状体２２ｃとの間の接続部２６ｃは、例えば図２に示すように略Ｖ字形状を、特に鋭角形状を有する。要するに、指挟み防止装置１０は、ドア１１に適用したとき、トラス構造になる。したがって、指挟み防止装置１０は、構造的に、例えば図２（ａ）に示すような圧縮力ＣＦが作用した時の耐久性に優れる。よって、指挟み防止装置１０のシート状部材２０に必要とされる強度、要するに各帯状体２２に必要とされる強度を比較的低くすることができる。それゆえ、上で述べたように、ロール状にすることができるほど薄い合成樹脂で帯状体２２を構成することができる。
【００２６】
また、帯状体２２を薄い合成樹脂製部材として構成できるので、帯状体２２は鋏等で切ることができる。したがって、使用者の使用目的、使用箇所（例えばドア本体１２の寸法）に応じてシート状部材２０の寸法を簡単に調節することができる。
【００２７】
そして、帯状体２２は、上で述べたように、ロール状に丸めることができる（図３（ｂ）参照）。したがって、例えば、幼児等の不在の時、或いは、指挟み防止装置１０の配送時や収納時、指挟み防止装置１０をコンパクトにすることができる。
【００２８】
なお、指挟み防止装置１０は、ドア本体１２の種々の開角度θ（図２（ａ）参照）に適応するように、種々の形状、寸法及び／又は構成を有するように変形等することができる。図４に、０°（ドアが閉まっているときの角度）から１８０°までの開角度θに対応できる指挟み防止装置１１０を模式的に示す。図４（ａ）はドアが閉まっているとき、つまり開角度が０°のときの図であり、図４（ｂ）は開角度θが約９０°のときの図であり、図４（ｃ）は開角度θが約１１０°のときの図であり、図４（ｄ）は開角度θが約１８０°のときの図である。これらの開角度に対応できるように、指挟み防止装置１１０では、上記指挟み防止装置１０と異なり、第１帯状体２２ａと第２帯状体２２ｂとの間の接続部２６の両面に接続テープ２４が適用されている。更に、指挟み防止装置１１０では、第１帯状体２２ａと第２帯状体２２ｂとは、図５に示すように第２方向Ｄ２において所定の隙間Ｓを空けて並べられている。これにより、第１帯状体２２ａと第２帯状体２２ｂとの間の接続部２６はいずれの側にも好適に折り曲げできるようにされている。第３帯状体２２ｃと第４帯状体２２ｄとの間の接続部２６についても同様に、両面に接続テープ２４が適用されるとともに、それら帯状体間に所定の隙間Ｓが空けられている。第２帯状体２２ｂと第３帯状体２２ｃとの間の接続部２６も同様に両面に接続テープ２４が適用可能であるが、片面にのみ接続テープ２４が適用されている。なお、指挟み防止装置１１０において、全ての接続部２６ではその両面ではなく、その片面にのみ接続テープ２４が適用されてもよい。また、所定の隙間Ｓは、帯状体２２の厚さや接続部２６に要求される可動範囲に応じて定められるとよい。
【００２９】
次に、本発明の第２実施形態に係る指挟み防止装置２１０を図６に基づいて説明する。なお、既に説明した構成に対応する構成には、同じ符号を付して、重複説明を省略する。
【００３０】
前述の指挟み防止装置１０では、第２方向である幅方向Ｄ２に並べられる帯状体２２の数は４つであったが、図６に示す指挟み防止装置２１０は、５つの帯状体２２を備えて構成されるシート状部材２０を備えている。ドア本体１２とドア枠１６との隙間Ｇにおいては、ドア本体１２が開くに従ってドア本体１２がドア枠１６から離れるようになる側の隙間Ｇ１のみではなく、ヒンジ１４の回動軸がある側でも隙間Ｇ２が生じる。この隙間Ｇ２への幼児等の指の挟み込みを好適に防ぐために、ヒンジ１４の配置等に関わらず指挟み防止装置２１０はドアに適用可能に構成されている。図６（ａ）、（ｂ）に示すように、指挟み防止装置２１０は５つの帯状体２２を備えているので、ドアに取り付けられるとき、ヒンジ１４を取り囲むように四角形に設けられ得る。なお、指挟み防止装置における帯状体の数は、４つや５つに限定されず、６つ以上であってもよい。ドア本体１２の可動範囲等に応じて、帯状体の数は定められるとよい。
【００３１】
次に、本発明の第３実施形態に係る指挟み防止装置３１０を図７に基づいて説明する。なお、既に説明した構成に対応する構成には、同じ符号を付して、重複説明を省略する。
【００３２】
指挟み防止装置３１０は、ドア１２が閉まっているとき、ドア枠１６の一部１６ｂがドア本体１２の上に張り出す構成のドアに適用されるものである（図７（ａ）から（ｃ）参照）。指挟み防止装置３１０は、５つの帯状体２２を備えて構成され、ドア本体１２の位置に応じて帯状体２２の接続部２６でシート状部材２０がより柔軟に折れ曲がることができるようにされている。図７（ｄ）に示すように、指挟み防止装置３１０は、第１実施形態の指挟み防止装置１０に対して、第１帯状体２２ａと第２帯状体２２ｂとの間に第１帯状体２２ａと略同じ大きさの第５帯状体２２ｅを配置した点で相違する。
【００３３】
特に、指挟み防止装置３１０は、ドア本体１２に取り付けられる第１端部側の第１帯状体２２ａの隣りの第５帯状体２２ｅが、ドアが閉まっているとき（図７（ａ）参照）及びドア本体の開角度が所定角度未満のとき（図７（ｂ）参照）、ドア本体１２に接しないが、ドア本体の開角度が所定角度以上のとき（図７（ｃ）参照）、ドア本体１２に接するように構成されている。図７（ａ）のドアが閉まっている状態のとき、第１帯状体２２ａと第５帯状体２２ｅとの間の接続部２６ｅは完全に折り畳まれていて、第５帯状体２２ｅは第１帯状体２２ａに当接する。そして、図７（ｂ）に示すようにドアの開き始めの状態などのとき、第５帯状体２２ｅは第１帯状体２２ａから離れ、図７（ａ）の状態のときに比べて、第５帯状体２２ｅの第１帯状体２２ａとの接続部２６ｅと、それとは反対側である第５帯状体２２ｅの第２帯状体２２ｂとの接続部２６ｆとでは、それぞれ折り曲げ角度が小さい。そして、図７（ｃ）のドア本体の開角度が所定角度以上のとき、第５帯状体２２ｅはドア本体１２に当接し、第５帯状体２２ｅの第１帯状体２２ａとの接続部２６ｅは真っ直ぐになる。なお、ドア本体１２の形状やドア枠１６の形状、及びそれらの種々の組み合わせに柔軟に適用できるように、帯状体２２の各種寸法及び組み合わせを任意に変えることができる。
【００３４】
更に、本発明の第４実施形態に係る指挟み防止装置４１０を図８に基づいて説明する。なお、既に説明した構成に対応する構成には、同じ符号を付して、重複説明を省略する。
【００３５】
図８の指挟み防止装置４１０は、第１実施形態の指挟み防止装置１０と、４つの帯状体２２がフィルム部材４１２で両側から覆われてそのフィルム状部材４１２で一体的に接続されている点で相違する。そして、指挟み防止装置４１０は、帯状体２２間の接続部２６で折れ曲がり易いように、好ましくは特別の負荷なく自在に屈曲するように、帯状体２２間に所定の隙間Ｓが空けられている。フィルム状部材４１２は、合成樹脂製フィルムであり得るが、他の材料で構成されてもよい。そして、指挟み防止装置４１０では、両面テープの代わりに、第１及び第２取付部として磁石４１４が利用されている。この磁石４１４は、ドア本体１２やドア枠１６が鉄等の材料でできているとき有効である。なお、磁石４１４に代えて、両面テープが用いられてもよい。
【００３６】
更に、本発明の第５実施形態に係る指挟み防止装置５１０を図９に基づいて説明する。なお、既に説明した構成に対応する構成には、同じ符号を付して、重複説明を省略する。
【００３７】
図９（ｃ）の指挟み防止装置５１０は、図９（ａ）の一枚のシート体５１２に、図９（ｂ）に示すように切れ込み５１４を入れることで構成されたシート状部材５１６を備える。図９（ａ）のシート体５１２には、図９（ｂ）に示すように３か所で切れ込み５１４が入れられる。したがって、図９（ｃ）に示すように、互いにつながったままの４つの帯状体２２ａ、２２ｂ、２２ｃ、２２ｄが得られる。これら４つの帯状体２２ａ、２２ｂ、２２ｃ、２２ｄの接続部２６は、切り込み部５１８である。なお、切り込み５１４の量つまり深さは、帯状体２２間の接続部２６で折れ曲がり易いように、好ましくは特別の負荷なく自在に屈曲するように、定められる。
【００３８】
図９のシート体５１２としては、紙製又は合成樹脂製の段ボールシートや、合成樹脂製スポンジなどの種々の発泡シートが例示される。なお、切れ込み部５１８に、例えば上記接続テープ２４が張り付けられてもよい。
【００３９】
以上述べたように、本発明に係る指挟み防止装置は、種々の構成を備えることができる。また、例えば、帯状体間の接続はヒンジ等を用いて行われてもよい。この場合、ヒンジは外付けのものであってもよく、又は、帯状体を互いに対して嵌め込む構成を備えてもよい。また、上記実施形態では、第１方向において複数の帯状体を並べて接続することをしなかったが、第１方向において複数の帯状体を並べて接続してもよい。
【００４０】
以上、本発明の代表的な実施形態及び変形例について説明したが、本発明は種々の変更が可能である。本願の特許請求の範囲によって定義される本発明の精神及び範囲から逸脱しない限り、種々の置換、変更が可能である。上記第１から第５実施形態の指挟み防止装置及びそれらの変形例の種々の構成は、矛盾しない範囲で、種々組み合わせることができる。
【００４１】
なお、本発明の装置（又は器具）は、「不意に、或いは、不注意により」ドアに指を挟んでしまうことを防止する装置（又は器具）に係り、それを前提とした強度を有して構成されることに向けられている。そのため、本発明は、「意図的に、或いは、いたずらの延長で」ドアに指を挟んでしまうことを防止することに向けられていない。「ドアに指を挟んだらどうなるか」ということについての想像力や子供への指導は、本人や保護者が責を負うべきものである。
【符号の説明】
【００４２】
１０、１１０、２１０、３１０、４１０、５１０  指挟み防止装置
１１  ドア
１２  ドア本体
１４  ヒンジ
１６  ドア枠
２０  シート状部材
２２、２２ａ、２２ｂ、２２ｃ、２２ｄ、２２ｅ  帯状体
２４  接続テープ
２６  接続部
２８ａ、２８ｂ  両面テープ
４１２  フィルム状部材
４１４  磁石
【図１】
2020101005.tif 000003
【図２】
2020101005.tif 000004
【図３】
2020101005.tif 000005
【図４】
2020101005.tif 000006
【図５】
2020101005.tif 000007
【図６】
2020101005.tif 000008
【図７】
2020101005.tif 000009
【図８】
2020101005.tif 000010
【図９】
2020101005.tif 000011
【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
少なくとも４つの帯状体を備えるシート状部材であって、該シート状部材において、前記少なくとも４つの帯状体は、それぞれ第１方向に延在するとともに、前記第１方向と直交する第２方向において接続されていて、前記少なくとも４つの帯状体の接続部で、前記少なくとも４つの帯状体そのものよりも、折り曲げ易い、シート状部材と、
前記第２方向における前記シート状部材の第１端部をドア本体に取り付けるための第１取付部と、
前記第２方向における前記シート状部材の前記第１端部と反対側の第２端部をドア枠に取り付けるための第２取付部とを備え、
前記４つの帯状体のすべてが長手方向にロール状に変形可能である、指挟み防止装置。
【請求項２】
前記少なくとも４つの帯状体の少なくとも１つは、合成樹脂製である、請求項１に記載の指挟み防止装置。